(57)【要約】【課題】それぞれの場所に設置されたＤＶＤ自動レンタル機の中にある在庫量をセンターでリアルタイムに把握し、在庫が切れる前に的確な補充配送の指示を送ることができるようにする。【解決手段】各それぞれのＤＶＤ自動レンタル機をオンラインで結びリアルタイムにＤＶＤ自動レンタル機ごとの商品在庫を管理するシステムである。在庫の有無を把握し貸出中（在庫切れ）になる前に事前に配送者へ自動的に指示ができるよう連動したシステムであり、既存システムでは賄いきれない仕様をセンター設備、および各ＤＶＤ自動レンタル機との連動、配送者の持つハンディターミナル端末との連動などを行う。【選択図】        図１
2008040920.tif 000002
【特許請求の範囲】
【請求項１】
複数の記録媒体自動レンタル機をオンラインで結び、上記記録媒体自動レンタル機ごとの商品在庫をリアルタイムに管理するシステムであって、
上記複数の記録媒体自動レンタル機における記録媒体の在庫の有無を把握し、貸出中（在庫切れ）になる前に配送者へ自動的に指示ができるように構成したことを特徴とする在庫管理システム。
【発明の詳細な説明】
【技術分野】
【０００１】
本発明は、在庫管理システムに関するものである。
【背景技術】
【０００２】
現在のレンタルビデオ市場は、郊外の大型複合店舗の出店に伴い販売流通量は伸びているが、１９９４年から、年率２０％程度の勢いで店舗数が激減しており、すでにレンタルビデオ市場は寡占化が進み、淘汰の時代から上位企業のレンタルビデオ部門の売上低下など、縮小傾向となっている。
【０００３】
中小企業の店舗が激減した原因のひとつとして、ＤＶＤメディアの台頭により、いままで資産として保有してきたＶＨＳビデオのパッケージ資産が、価値をなさなくなってしまった上にＤＶＤパッケージの追加投資が必要になったことから、撤退する事業者が多く現れたことが背景のひとつと考えられる。競争力を持っていない中小規模の事業者は撤退、大企業数社がシェア争いを行う市場へ変化しており、市場全体は衰退時期にさしかかっている。
【０００４】
しかしながら、９０年代半ばに台頭したＤＶＤメディアでの効果により、配送・運搬の効率化（ＶＨＳと比べると非常に小さい）が実現され、インターネット上よりの注文によるレンタルビデオの配送サービスが登場した。また、小スペース化によって、流通と小売に変化により、アメリカでは機器メーカーがＤＶＤ自動レンタル機を開発、リース販売などにより米マクドナルドやセブンイレブン、ウォルマートなどの店内や軒先に置かれ全米に展開されている。
【発明の開示】
【発明が解決しようとする課題】
【０００５】
このように、ＤＶＤメディアの登場で新しい業態が創造されているが、店舗型レンタルビデオサービス、または米国でのＤＶＤ自動レンタル機などに利用されている在庫管理システムは、各店舗ごとにスタンドアローンにて運営されており、システムを用いた在庫管理の効率化は、未だ実現化されていない。従来のシステムは店舗型のサービス方式のため、人件費や地代などの管理コストの増加により、現実化されていないシステムゆえ、在庫を効率的に稼動させることは、さらなる収益性を秘めている事業モデルであるといえる。
【０００６】
最大限そのシステムを活かした事業化として、本出願人は、現在米国にて展開されているＤＶＤ自動レンタル機を用いて日本向けのビジネスモデルに昇華して展開する。また、東京都内を皮切りに駅の中（所謂「駅ナカ」を含む）やコンビニエンスストアなど、生活導線上に設置を行い、各ＤＶＤ自動レンタル機の在庫をセンターにて包括的に管理をおこない、日中３回程度の配送オペレーションを仕組作ることで在庫を最小限に抑えながら貸出中によるチャンスロスを最小限にとどめることができる。そのためにも独自の「在庫管理システム」を開発し、新サービスとして早々に事業化を目指すことを目的としている。
【課題を解決するための手段】
【０００７】
本発明の在庫管理システムは、各それぞれのＤＶＤ自動レンタル機をオンラインで結びリアルタイムにＤＶＤ自動レンタル機ごとの商品在庫を管理するシステムである。在庫の有無を把握し貸出中（在庫切れ）になる前に事前に配送者へ自動的に指示ができるよう連動したシステムであり、既存システムでは賄いきれない仕様をセンター設備、および各ＤＶＤ自動レンタル機との連動、配送者の持つハンディターミナル端末との連動などを行う。
【発明の効果】
【０００８】
貸出中のチャンスロスをなくした上で、必要最低限の在庫量と仕入枚数にとどめたことで、在庫回転率は、既存レンタル店舗平均の３７倍の効果が現れる。また、生活導線上の高ロケーションに設置することで、新作回転率は既存の２．１倍、会員の利用平均も２．３倍の効果をもたらすことができる。また、ＤＶＤの小スペース化を活かしたＤＶＤ自動レンタル機によるレンタル方法により、占有面積は既存店舗のような広い店舗スペースを必要としない。そのため今まで物件賃料に対して坪あたりの売上高が見合わなかった高賃料スペースでは営業できなかった問題を解決することができる。坪単価売上での既存レンタル店舗との比較は、じつに８．６倍の収益性を上げることができるサービスである。
【発明を実施するための最良の形態】
【０００９】
上記のような収益性と事業モデルを確立するためには、いかに在庫を最小限に抑えながら貸出中のチャンスロスをなくすことができるかが、事業成功の最大のポイントとなる。在庫量を最小限にとどめることで在庫回転率を引き上げることができるが、貸出中をなくすためには、各それぞれの場所に設置されたＤＶＤ自動レンタル機の中にある在庫量をセンターでリアルタイムに把握し、在庫が切れる前に的確な補充配送の指示を送ることが必要である。
【００１０】
本出願人が独自で実施したアンケート結果にて、「貸出中」が同じ映画作品で２度あった場合は、もうその作品のレンタルをあきらめると答えた人が８５％にのぼる。貸出中のチャンスロスは、特に新作タイトルに要求されることから如何にすべての在庫を高回転させるかがレンタルビデオ事業の収益性を改善するポイントであり、本研究にて開発する「在庫管理システム」は、在庫量と補充配送指令が連動したシステムを確立することで、最小限の在庫で最大限の収益を生むことのできる弊社の行う事業化には欠かせないものである。
【００１１】
＜在庫管理システム要件仕様＞
●システム導入の目的
ＤＶＤ自動レンタル機に格納されているＤＶＤの在庫をリアルタイムに集中管理することで、在庫量を最小限におさえながら、貸出中をなくすことで、顧客の利便性とともにＤＶＤレンタルの回転率を向上させる。
●基本要件
・導入を計画している在庫管理システムは、業務システムと情報サービスシステムから構成され、管理センターと接続して在庫をリアルタイムにて管理すること。
・システム構成は、クライアント・サーバ方式とすること。
・ＬＡＮおよびインターネットに接続し、ネットワーク上でのサービス提供ができること。
・安定した運用ができる設計であること。
【００１２】
●販売管理システム
販売管理システムは、以下の業務を行う目的で導入するものである。従って、最低限、以下の各項目の業務を行う上で支障ないと判断されること。
１）基本要件
・同時接続１０台でオンラインの業務を行う際の画面応答時間が平均３秒以内であること。
・管理端末の操作画面は、１画面に複数のウィンドウを開いて同時に複数の業務を実行できること。
・ＤＶＤ自動レンタル機、会員ＩＤ、会員のグループごとに運用を設定できること。
・ＤＶＤ−ＩＤ及び会員ＩＤについては、ＤＶＤメーカーの現行体系及び規格に対応できること。
・ＤＶＤ・商品管理システムにおいて、ＤＶＤ−ＩＤおよびあらかじめ資料に印刷されているバーコード等に対するデータ入力が行えること。
【００１３】
●ＤＶＤ（選定・発注・支払）発注管理システム
ＤＶＤ（選定・発注・受入・支払）発注管理システムの機能に関する以下の要件を満たすこと。
１）選定
・選定のためＤＶＤ取次店のデータをダウンロードして作成できること。
・データの入力がテキストデータからも行えること。
・発注中及びストックＤＶＤを対象とした重複枚数調査ができること。
・選定データから発注処理ができること。
・選定データの集計ができること。
【００１４】
２）発注
・発注データ作成の際に、データをダウンロードすることによりローカルシステムに作成でき、作成後は発注画面にシームレスに遷移すること。
・データの入力がテキストデータからも行えること。
・発注中及びストックＤＶＤを対象とした重複枚数調査ができること。
・発注データ作成の際に 予算費目、区分、発注先、通貨コードについては、直前に入力したレコードを参照して自動的に値を設定できること。
・発注に必要なデータを入力する際、コードテーブルを持つものについて、その内容を選択して取り込めること。（区分・種別・費目・関連商品区分・納入業者・メタデータ・仕様等）
・コードテーブルのメンテナンスができること。
・継続購入ＤＶＤの発注・受入処理ができ、完納までデータを保持できること。
・使用する文字に関係なく区分の指定ができること。
・処理の際、定価の入力によりあらかじめ入力した割引率・消費税率を参照して購入金額を自動算出できること。
・割引率・消費税率を随時変更できること。
・海外仕入の際、外貨の入力によりあらかじめ入力した通貨別換算率・消費税率を参照して購入金額を自動算出できること。
・通貨別換算率・消費税率を随時変更できること。
・金額算出方法に改変があった場合、業務システムを修正すること。
・データに対して一点毎の支払い保留・解除ができること。
・購入金額算出値を受入処理画面で修正できること。
・発注済みデータに対して、処理日（範囲指定）・業者・備品消耗品別等の指定によりブロック化し支払い処理及びＤＶＤ−ＩＤの一括自動採番・付与ができること。
・年度に関わるレコードの自動採番・付与・リセットを行えること。（発注番号、請求及び命令書番号、ＤＶＤ−ＩＤ番号等）
【００１５】
３）支払
・管理・支払データを２年間以上保持できること。
・管理・支払データについて処理済みのものを、処理完了日の範囲指定で削除できること。
・入力した条件で処理状況問い合わせができること。
【００１６】
４）帳票等出力処理
以下のような帳票が出力できること。なお、帳票出力時に、データ更新を伴う本番出力とデータ更新を伴わない予備出力が選択できる場合は加点する。
・継続発注ＤＶＤ未着・欠号リスト（納入済みデータも出力すること）
・受入ＤＶＤリスト（区分別・予算コード別・業者別に出力できること）
・処理段階別リスト（未発注、発注中、納品済、支払済のDVDを区分別・予算コード別・業者別に出力できること）
・請求及び命令書・管理通知書（明細付きで出力できること）
・発注書（一件毎に印刷されること）
・ＤＶＤ発注一覧表（発注書を出力する段階で、業者毎に発注ＤＶＤの内訳が出力できること）
・未納督促リスト（発注日付からの経過日数を指定して、業者別に出力できること）
・ＤＶＤ管理規格のＤＶＤ−ＩＤ用ラベル（番号、枚数を指定できること）
・予算使用状況リスト（予算コード別に発注中、支払済金額が出力できること）
・予算コード別リスト（予算コード別に発注中ＤＶＤ、納入済ＤＶＤを出力できること）
・重複調査リスト（ＤＶＤ発注処理の際に、社内ストックＤＶＤ、発注ＤＶＤを対象とした重複調査でヒットしたものを発注ＤＶＤ毎に出力できること）
・業者別使用金額リスト（業者毎に発注金額、支払金額が出力できること）
・その他、必要とするデータを任意の条件で抽出して、データベースアクセスインタフェースを通してＰＣに出力し、ＰＣの表計算ソフト等により統計を作成できる環境を提供すること。
【００１７】
●商品管理システム
１）商品管理システムの機能に関する以下の要件を満たすこと。 
・ストックレコード中の各冊ごとに固有なデータが、正確に商品ファイルに反映できること。
・一括自動登録及びダウンロード機能を備える場合は、加点する。
・販売実績の分析調査報告用のデータ作成及びテープ媒体への出力を行う機能も備えること。
・このほか対話型処理の機能として以下のものを備えること。
・ローカルシステム独自の商品作成及びデータの修正・削除を行えること。
・入力文法、コードチェック等の入力データのチェック機能が整備されていること。また、エラーが生じた場合、警告メッセージを表示すること。
・商品データベースのＤＶＤメタデータの統合およびそれとリンクしたストックの付け換え機能（統合処理）を独立した機能として備える場合は、加点する。
【００１８】
２）帳票等出力処理
・ラベル印刷及び整理済ＤＶＤ引渡リスト出力
・ラベルの出力条件パラメータとして、「商品作成日付・区別・入力者ＩＤ（省略時は全員）」の組み合わせによる指定と、これとは別に複数のＤＶＤ−ＩＤラベル読み取りによる資料ＩＤ指定ができること。
・ラベルと共に資料ＩＤ等の確認用データを出力できること。
・併せて、ラベルを出力したＤＶＤリスト（整理済ＤＶＤ出荷リスト）を出力すること。
・リストは書名等でソートできること。
・商品データのプルーフリスト出力
【００１９】
・各種統計リスト
・・ストック分類統計
資料区分別、ジャンル別に、分類別レコード個数を年度別および累計で出力できること。
・・レコード作成統計
ジャンル別・ＤＶＤ別に、ストックレコード作成件数、システム登録レコード件数を月別、年度別で出力できること。
・・商品システム別統計
総合データ・ローカルのみの登録データの区別をローカル商品データベース上でもてること。上記の種類別にＤＶＤ・ストック別の作成件数を年度別及び累計で作成できること。
・・その他、必要とするデータを任意の条件で抽出して、データベースアクセスインタフェースを通してＰＣに出力し、ＰＣの表計算ソフト等により統計等を作成できる環境を提供すること。
【００２０】
・ローカル商品データベースのストックデータを任意の条件で抽出して、データベースアクセスインタフェースを通してＰＣに出力でき、ＰＣの表計算ソフト等により、資料を限定したストックリストを作成できる環境を提供すること。（例：ロングランＤＶＤ候補リスト、児童系ＤＶＤリスト、連続ドラマなどのコレクションリストなど）
・目次データ入力処理ができること。
・ＤＶＤ自動レンタル機への自動転送（ｆｔｐ）機能を備える場合は、加点する。
【００２１】
●物流管理システム
物流管理システムの機能に関する以下の要件を満たすこと。ＤＶＤ自動レンタル機との接続についてはセキュアなインターネット回線にて行うこと。
・ＤＶＤ自動レンタル機と連動したローカル処理
・・ＤＶＤ自動レンタル機からデータをダウンロードし、作業用帳票を出力できること。
・・ローカルシステムでファイルの作成、変更、削除ができること。
・・新規作成についてはＤＶＤ自動レンタル機からデータをダウンロードできること。
・・ＤＶＤ自動レンタル機以外の受付・依頼記録も残せること。
【００２２】
・対話型処理の機能
社内ストック検索及びＤＶＤ自動レンタル機の検索ができること。なお、この検索を連動して行うことができれば加点する。
・以下の帳票が出力できること。
・・受付一覧リスト、作業用帳票（作業票、送付票）
・・依頼一覧リスト
・・支払者別集計表
・・ＤＶＤ自動レンタル機別収支明細表
・・タイトル別利用回数集計表
【００２３】
・統計
・・受付・依頼別、貸借別、機関種別、会員区分別、支払区分別、件数、枚数（冊数）
・・その他、必要とするデータを任意の条件で抽出して、データベースアクセスインタフェースを通してＰＣに出力し、ＰＣの表計算ソフト等により統計等を作成できる環境を提供すること。
【００２４】
●在庫管理システム
在庫管理システムの機能に関する以下の要件を満たすこと。利用可能状況の保守とリスト出力
・ストックＤＶＤの利用可能状況（修理中、調査中など）に関するデータ管理及びリスト出力ができること。
・点検処理
・・点検の対象ＤＶＤをハンディターミナルで読込み、レコードと照合を行い、不一致データについてはリスト出力し、利用可能状況に関わるコード等を変更できること。
・・ロケーション、分類単位で点検範囲の設定が柔軟にできること。
・・貸出されたＤＶＤの点検ができること。
【００２５】
・供用換、管理換、不用決定に関わる処理
・・売却ＤＶＤ候補資料をハンディターミナルで読込み、売却ＤＶＤ候補リストを作成できること。
・・在庫管理システムで処理された結果が、センターシステムに反映されること。
・・管理換、供用換、不用決定処理のデータから、ＤＶＤ自動レンタル機のデータを更新するための作業リストがプリンタに出力できること。また、ＤＶＤ自動レンタル機のデータを自動的に更新できる機能を持つ場合は、加点する。
【００２６】
ハンディターミナルを使用した場所変更処理
ハンディターミナルで読込み、該当するストックレコードの関連データの変更を行えること。
【００２７】
●顧客管理システム
顧客管理システムの機能に関する以下の要件を満たすこと。ユーザ認証が必要な場合は、会員ＩＤとパスワードによる認証を行い、パスワードは会員自身が変更可能とすること。 
【００２８】
管理センターシステム
１）基本機能 
・２４時間運転できること。 
・社内ＬＡＮ及びインターネット経由で接続利用できること。
２）データ更新
・文字処理
・カナは全角で表示できること。
・ＤＶＤ自動レンタル機の文字については、原則として音標符号を除いて検索・表示できること。
【００２９】
３）顧客・ＤＶＤ検索機能
・検索インタフェースとしてＷＷＷ版、ＧＵＩ版及びtelnet版を用意すること。ＧＵＩ版、ＷＷＷ版について以下の機能を満たすこと。telnet版については以下に準じた機能を満たすこと。
・ＤＶＤのジャンル横断検索ができること。またそれら資料区分を限定した検索もできること。
・一致検索について、フルテキスト型データベースでは文字列一致、インデックス型データベースでは前方一致検索ができること。
・タイトル、著者名等の特定の項目に限定した検索ができること。
・検索語間の柔軟な論理演算（ＡＮＤ、ＯＲ検索）ができること。
・検索履歴を持ち、集合間の演算ができる場合は加点する。
・検索もれを防ぐための機能をもつこと（大文字・小文字、全角・半角等の異表記への対応）。同義語辞書が提供される場合は加点する。
・検索結果が多い場合に、有効な絞込機能をもつこと。 
・ジャンルについて漢字、カナにより検索できること。 
・ＵＲＬをもつＤＶＤストック情報について、ソースデータへのアンカーを張れる場合は加点する。
・新着ＤＶＤに絞り込んで検索できる場合は加点する。
・検索結果の表示は一覧表示と詳細表示をおこなえること。一覧表示について、シリーズの場合、タイトルのほかシリーズ名も表示できること、一覧表示についてタイトル等でソートできる場合は加点する。
・検索結果件数が１件の場合は一覧表示せずに詳細表示すること。 
・ＤＶＤストックの表示のほか、以下の情報を表示できること。 
・・資料の発注状況
・・貸出・予約状況 
・・受付状況 
・・修理中等の利用可能状況
・会員自身が一般貸出中のＤＶＤに対する予約及び予約取消を行えること。
・その際ユーザ認証を行うこと。
・予約は本数単位で行えること。 
【００３０】
４）会員区分で限定した会員から申込みの受付や本人に関する情報の確認を行えること。その際ユーザ認証を行うこと。
５）購入希望資料の申込みができること。
６）当人のＤＶＤ貸出予約状況が確認できること。
７）レファレンスの申込みができること。
８）物流管理システムの処理と連動して、会員へ自動的に電子メールで通知を行えること。
９）延滞督促通知
１０）予約ＤＶＤ保管通知
【００３１】
●ハードウェア
管理システム、または情報管理システム等の構築を行う上で必要なサーバ類、無停電電源装置やデータバックアップ装置、障害検知通報装置、端末装置、プリンタ装置、ＯＣＲ・バーコードハンドリーダー、ネットワーク機器類を含むこと。 ２４時間滞りなく稼動すること。
【００３２】
１）サーバシステム
＜業務管理サーバ＞
本装置は複数のＣＰＵと大容量のメモリを備えた、管理システムの中心となるサーバであり、ＩＤＣ内に設置する。装置の基本性能に関して以下の要件を満たすこと。
・運営を円滑に行う上で充分な性能を持つこと。
・処理速度はSPECrate_int95 が95以上であること。
・主記憶容量は２ＧＢ以上であること。
・補助記憶装置容量は５０ＴＢＧＢ以上であり、システム稼動に必要なプログラム、データ及び現行システムからの移行データと今後４年間のデータ量の増加分を充分に見込んだデータ容量（別添資料参照のこと）を格納するのに充分な容量であること。また、ＲＡＩＤ５に対応していること。
・1000Base-TとＣＤＤＩのネットワーク接続インタフェースを有すること。
・コンソール装置を有すること。
・基本ＯＳ、ＤＢＭＳ、各種ユーティリティー及び必要なアプリケーションソフトウェアを装備すること。
・補助記憶装置の容量に応じたテープライブラリなどのバックアップ装置を備え、業務に 支障なく且つ自動的にデータのバックアップが行えること。
・停電時に無瞬断で本体へ６０分以上電源が供給できると共に、停電である旨を通知する機能を有する無停電電源装置を有すること。
・障害検知システムを有し、障害発生時に適切な対応ができること。また、障害の記録が採取できること。
【００３３】
＜情報管理システムサーバ＞
・本装置はＤＶＤ在庫状況の分析システムのサーバであり、情報処理センターサーバ室を開設し、ＩＤＣに設置する。インターネットにより接続されるＤＶＤ自動レンタル機から情報を集計するための装置の基本性能に関して以下の要件を満たすこと。
・分析システムを円滑に運用する上で充分な性能を持つこと。
・処理速度はSPECint95 が５以上であること。
・主記憶容量は２ＧＢ以上であること。
補助記憶装置容量は５０ＴＢ以上であり、システム稼動に必要なプログラム、データ及び現行システムからの移行データと今後１０年間のデータ量の増加分を充分に見込んだデータ容量を格納するのに充分な容量であること。また、RAID5に対応していること。
・1000Base-TまたはＡＵＩのネットワーク接続用インタフェースを有すること。
・コンソール装置を有すること。
・基本ＯＳ、ＤＢＭＧ、各種ユーティリティー及び必要なアプリケーションソフトウェアを装備すること。
・補助記憶装置の容量に応じたテープライブラリなどのバックアップ装置を備え、業務に 支障なく且つ自動的にデータのバックアップが行えること。
・停電時に無瞬断で本体へ６０分以上電源が供給できると共に、停電である旨を通知する機能を有する無停電電源装置を有すること。
【００３４】
＜プリンタサーバ＞
本装置は業務で必要とされる帳票類を出力するサーバであり、ＩＤＣに１台設置する。主として管理センターから利用される。装置の基本性能に関して以下の要件を満たすこと。
・プリント出力を円滑に行う上で充分な性能を持つこと。
・処理能力は、１ＧＭＨｚ相当以上であること。
・主記憶容量は２ＧＭＢ以上であること。
・補助記憶装置容量は１ＴＢ以上であること。
・1000Mbpsのネットワーク接続インタフェースを有すること。
・コンソール装置を有すること。
・基本ＯＳ、各種ユーティリティー及び必要なアプリケーションソフトウェアを装備すること。
【００３５】
＜ＤＶＤ自動レンタル機＞
本装置はＤＶＤ自動レンタル機として、東京メトロ、及び各私鉄の駅構内に１０台設置する。装置の基本性能に関して以下の要件を満たすこと。
・ＤＶＤのレンタル業務を円滑に行う上で充分な機能と性能を持つこと。
・操作アプリケーション、ストック管理アプリケーション、ネットワークアプリケーション等をそれぞれ複数、同時に稼動させても支障のない主記憶容量であること。
・処理能力は１ＧＭＨｚ相当以上であること。
・内蔵する補助記憶装置容量は５ＴＢ以上であること。
・ＵＳＢ及び８倍速以上のＤＶＤ−ＲＯＭドライブを有すること。
・対角１７インチ以上で、最大表示時に１２８０×１０２４ドット以上の解像度を持つカラーディスプレーを装備すること。
・タッチパネルを装備すること。
・１００Ｍｂｐｓのネットワーク接続インタフェースを有すること。
・基本ＯＳ、各種ユーティリティー及び必要なアプリケーションソフトウェアを装備すること。
・半角カナを含むＡＳＣＩＩ文字、ＪＩＳ第１水準文字、ＪＩＳ第２水準文字のソフトウェアキーボードからの入力、表示ができること。
・ＤＶＤ自動レンタル機には、各種バーコードの読み取りできるハンドリーダーを装備すること。
・ＤＶＤ自動レンタル機には、ハンディターミナルからのデータ転送を受けるＤＳＬ通信アダプタを有すること。
【００３６】
＜ハンディターミナル＞
本装置はストックＤＶＤ管理用に１０台導入する。装置の基本性能に関して以下の要件を満たすこと。
・１５桁以上のＯＣＲ−Ｂフォントが読み取りできること。
・補助記憶装置は１ＭＢ以上あること。
・ＡＮＫ文字１５桁が表示できるディスプレイ装置を有すること。
・英数字キーボードを有すること。
・バッテリー電池で連続１０時間以上使用できること。
・ＲＳ２３２Ｃ、及びＵＳＢ外部出力インタフェースを有すること。
・貯えたデータをＤＶＤ自動レンタル機、もしくは管理センターに転送するＤＳＬアダプタを接続するインタフェースを有すること。
【００３７】
＜プリンタ＞
業務用プリンタ
本装置はネットワークに接続し、社内で必要とされる帳票類を出力するプリンタであり、社内に２台設置する。装置の基本性能に関して以下の要件を満たすこと。
・印字方式はレーザービーム乾式電子写真方式とし、印字速度は５０枚／分（Ａ４用紙使用時）以上であること。
・解像度は８００ｄｐｉ以上であること。
・用紙はＢ５以上の用紙サイズについて一度に４５０枚以上セットできること。
４種類の用紙サイズが同時にセットできること。
・用紙サイズは官製ハガキ相当、Ｂ５、Ａ４、Ｂ４、Ａ３の単票用紙に対応すること。
・最大１３０ｋｇの紙厚の用紙に対応できること。
・半角カナを含むＡＳＣＩＩ文字、ＪＩＳ第１水準文字、ＪＩＳ第２水準文字及び商品用拡張文字が印字できること。
・ＯＣＲ−Ｂフォントの印字ができること。なお、PostScript Level２対応の場合は加点する。また、ＴＣＰ／ＩＰ（ＦＴＰ、ｌｐｒ）、ＡｐｐｌｅＴａｌｋを含むマルチプロトコル対応で、同時使用でき自動切り替えの場合は別に加点する。
【００３８】
ＤＶＤ自動レンタル機内プリンタ
本装置はネットワークに接続し、会員がＤＶＤ自動レンタル機からレンタル内容を記載した帳票類を印字するプリンタであり、ＤＶＤ自動レンタル機の一部機能としてＤＶＤ自動レンタル機内に設置する。装置の基本性能に関して以下の要件を満たすこと。
・印字方式はレーザービーム乾式電子写真方式とし、印字速度は６枚／分以上であること。
・解像度は４００ｄｐｉ以上であること。
・紙ではなく、リライト式のＰＶＣ製ポリ塩化ビニール樹脂に印字に対応すること。
・半角カナを含むＡＳＣＩＩ文字、ＪＩＳ第１水準文字、ＪＩＳ第２水準文字及び商品用拡張文字が印字できること。
【００３９】
＜ネットワーク接続＞
・サーバ室に設置するサーバはＩＤＣのサーバ室に既設のブルータに接続すること。
・ＩＤＣ内の管理センターに既設のコンセントレータに接続すること。また1000Base-Tポートを事務室内に既設のリピータハブに接続すること。
・その他のネットワークインターフェースを持つ機器は既設のリピータハブに接続すること。
・ネットワークへの接続に必要な全てのケーブルも用意すること。接続に用いるリピータハブは本学が用意する。
【００４０】
●ソフトウェア
＜サーバシステム用ソフトウェア＞
・オペレーティングシステムまたはこれと同等以上の機能と性能を有すること。
・利用権限の設定ができ、セキュリティーが万全なこと。
・ＴＣＰ／ＩＰをサポートすること。
・システムの稼動統計が採取できること。
・無停電電源装置と連動し、電源異常時に自動的に正常な電源停止の制御を行えるソフトウェアを有すること。
【００４１】
＜データベース管理システム＞
・業務及びＯＰＡＣを停止させることなく、データベース管理ができること。
・データの即時更新ができること。
・簡易言語及びユーティリティーによってデータベース管理ができること。
【００４２】
＜言語及びユーティリティー＞
・プログラム作成、保守、結合、実行を管理する上で必要なソフトウェアを備えており、プログラム言語は少なくともＣ言語及びＰｅａｌを含むこと。
・画面、帳票、ファイルの定義、作成用ユーティリティーを有すること。
・ファイルやデータを表計算ソフトウェアで使用できるファイル形式で出力できること。
【００４３】
＜業務端末用ソフトウェア＞
１）オペレーティングシステム
・業務用、事務用、ネットワークの各アプリケーションがそれぞれ複数、同時に稼動できること。
・ＴＣＰ／ＩＰをサポートすること。
２）ユーティリティー及びアプリケーション
・業務を円滑に行う上で必要なソフトウェアを有すること。
・日本語統合ビジネスソフトウェアを有すること。
・ＷＷＷブラウザを有すること。
・日本語電子メールを有すること。
・ＤＶＤ自動レンタル機には、ハンディターミナルから転送されたデータを処理する上で必要なソフトウェアを有すること。
【００４４】
＜ＤＶＤ自動レンタル機用ソフトウェア＞
１）オペレーティングシステム
・レンタル業務に必要なソフトウェアが稼動すること。
・ＴＣＰ／ＩＰをサポートすること。
２）ユーティリティー及びアプリケーション
・ＤＶＤ自動レンタル機の操作に必要なソフトウェアを有すること。
・ユーザの誤操作によって、ＤＶＤ自動レンタル機、サーバ、ＤＶＤ自動レンタル機及びサーバ上のデータ、ネットワークに損害が生じ、セキュリティーが低下する可能性がないこと。
・ＤＶＤ自動レンタル機には、ＷＷＷブラウザを有すること。
【００４５】
＜ハンディターミナル用ソフトウェア＞
・フォント読み取りに必要なソフトウェアを有すること。
・業務用端末へのデータ転送ソフトウェアを有すること。
【００４６】
以下に、本実施形態による在庫管理システムの概要を示す。
＜システム構成概要＞
本システムは、物理的にはＤＶＤ自動レンタル機（フロント）システムと、データセンター及びコントロールセンター（ホスト）システムを連動したシステムとなる（図１参照）。また、論理的には４つの要素に分類される各システム（１．販売管理、２．商品管理、３．顧客管理、４．物流管理）を連携する事を実現する（図２参照）。
※各現場間のデータ連携は、ネットワークを経由して行う。
データ連携上使用するネットワークの開発（キャリア選択（注））には、ベンチマークを繰り返す必要が有る為、開発拠点は当初のＤＶＤ自動レンタル機設置地域である都内を想定。
（注）ＤＶＤ自動レンタル機の設置場所により、設営可能なネットワークが複数種類になる事も想定。
【００４７】
＜システム機能概要＞
ＤＶＤ自動レンタル機においては、顧客登録、レンタル時点の個人認証、及びレンタル代金の決済を行うが、同時に各装置に搭載する商品在庫の管理も行う。今回のＤＶＤ自動レンタル機は、現国内に類似装置が無く、またシステムの機能上からしても、開発規模はシステム全体のかなりの割合を占める事となる。
【００４８】
データセンターでは、ＤＶＤ自動レンタル機で発生するすべての情報を集約管理し、遠隔に設置された端末情報の一元管理を行う。これにより、例えば貸し出しを行った端末と、返却する端末は同じ場所に設置した装置である必要がない仕組みとなる（図３参照）。
【００４９】
コントロールセンターでは、データセンターに集約された情報を監視し、在庫情報からデリバリーオペレーションの指示を行う為の情報をアウトプットする。また端末の状況は、データセンターを経由して照会する事を可能とし、緊急時にはフィールドサポート指示をアウトプットする。上記アウトプットにより、タイムリーな人員の動きが必要とされるため、体制も含む物流管理システムの開発を行う。
【図面の簡単な説明】
【００５０】
【図１】ＤＶＤ自動レンタル機（フロント）システムと、データセンター及びコントロールセンター（ホスト）システムとを連動したシステムの構成例を示す図である。
【図２】論理的に４つの要素に分類される各システムの連携を示す図である。
【図３】貸出と返却の仕組みを示す図である。
【図１】
2008040920.tif 000003
【図２】
2008040920.tif 000004
【図３】
2008040920.tif 000005